(57)【特許請求の範囲】
【請求項１】
壁パネルの一方の表面材に開口部を開口する第１の工程と、
複数の埋め込み下地材を上記開口部から挿入して、この埋め込み下地材を上記壁パネルの両方の表面材の内側面にそれぞれ接着剤によって接着する第２の工程と、
上記開口部に、カバー部材を挿入する第３の工程と、
上記カバー部材を、上記埋め込み下地材の表面に結合する第４の工程
とを備え、
上記第２の工程において、上記埋め込み下地材の表面の一部は、上記開口部の内周面の内側に位置し、残りの部分は、この開口部の内周面の外側に位置する
ことを特徴とする補強下地構造の形成方法。
【請求項２】
上記埋め込み下地材は、上記開口部の中心を通り、かつこの開口部の開口面に直交する平面に関して対称になっている
ことを特徴とする請求項１に記載の補強下地構造の形成方法。
【発明の詳細な説明】
【技術分野】
【０００１】
本発明は、例えば手摺や椅子を取り付けるために住宅の壁パネルを補強する
下地構造の形成方法に関し、さらに詳しくは壁パネルの表裏２枚の表面材の間に下地材を挿入して補強する下地構造の形成方法に関するものである。
【背景技術】
【０００２】
従来から、住宅の屋内空間を分割する間仕切壁には、一定の間隔をもって設けられた木軸等の壁下地の両面から、石膏ボードやベニヤ等の表面材を貼り付けて形成した壁パネルが用いられている。しかるに壁パネルの表面材は、板厚が薄いこともあって、例えば住居のリフォームの際に、この表面材に手摺や椅子を取り付けようとしても、強度が不足する場合が多い。このため、壁パネルに補強用の下地材を追加して、この補強用の下地材に手摺等を取り付けていた。ところが補強用の下地材を追加するためには、表面材やこの表面材に貼り付けたクロスを全て取り外すと共に、補強用の下地材を追加した後に、再び表面材やクロスを貼り直さなければならず、その都度大掛りな作業が発生していた。
【０００３】
そこで、このような壁パネルを補強する作業における手間を省くために、表面材に間柱（壁下地）の両側面が露出する程度の大きさの開口部を開口し、この露出した間柱に補強用の下地材を嵌め込むと共に、この補強用の下地材の左右に設けた支持プレートによって、この表面材を裏側から支持する壁パネルの補強下地構造が提案されている（例えば特許文献１参照。）。
【先行技術文献】
【特許文献】
【０００４】
【特許文献１】特開２００５−３３６７８７号
【発明の概要】
【発明が解決しようとする課題】
【０００５】
しかしながら上述した壁パネルの補強下地構造は、壁下地である間柱に固定するものであるため、壁下地が通っていない個所には、手摺等を取り付けることができない。したがって手摺等を取り付けることができる位置について大きな制約を受け、適切な位置に手摺等を取り付けることが困難な場合もあり得る。
【０００６】
また、たまたま手摺等を取り付ける位置に壁下地が通っている場合であっても、上述した壁パネルの補強下地構造は、構造が複雑であると共に、壁下地である間柱に固定するためには、かなりの手間を要すると考えられる。
【０００７】
そこで本発明の目的は、壁パネルの壁下地が無い個所においても、強固な補強下地構造を容易に形成できる補強下地構造の形成方法を提供することにある。
【課題を解決するための手段】
【０００８】
上記課題を解決するために、本発明による補強下地構造の形成方法の特徴は、壁パネルの表面材に開けた開口部から、補強用の埋め込み下地材を挿入し、この埋め込み下地材の表裏両面を、２枚の表面材の内側面にそれぞれ接着して固定することにある。
【０００９】
すなわち本発明による補強下地構造の形成方法は、壁パネルの一方の表面材に開口部を開口する第１の工程と、複数の埋め込み下地材を上記開口部から挿入して、この埋め込み下地材を上記壁パネルの両方の表面材の内側面にそれぞれ接着剤によって接着する第２の工程とを備える。また上記開口部に、カバー部材を挿入する第３の工程と、上記カバー部材を、上記埋め込み下地材の表面に結合する第４の工程とを備える。ここで上記第２の工程において、上記埋め込み下地材の表面の一部は、上記開口部の内周面の内側に位置し、残りの部分は、この開口部の内周面の外側に位置する。
【００１０】
また複数の埋め込み下地材の形状や取り付け位置が不揃な場合には、補強下地構造材料の強度が場所によって不均一になる。そこで上記複数の埋め込み下地材は、上記開口部の中心を通り、かつこの開口部の開口面に直交する平面に関して対称になっていることが望ましい。これにより補強下地構造材料の強度を場所によらずに均一にすることができる。
【００１１】
ここで「開口部」としては、矩形に限らず、例えば多角形や円形や楕円形も該当する。
【００１２】
「複数の埋め込み下地材」は、２個に限らず３個以上も該当する。「埋め込み下地材」としては、相互に平行な表面と裏面とを備えると共に、これらの表面と裏面とが壁パネルの表裏２面を構成する表面材の内側面にそれぞれ接触する厚さを有するものであれば、形状を問わない。なお壁パネルの表面材の剛性が高く、埋め込み下地材を開口部から挿入する際に、２枚の表面材の間隔を押し広げることが困難な場合には、この埋め込み下地材は、表面材に平行な状態で、この開口部に挿入できる外形寸法に形成する必要がある。
【００１３】
「接着剤」には、例えば酢酸ビニル樹脂系エマルジョン（乳剤）形接着剤、ビニル共重合樹脂系エマルジョン形接着剤、ゴム系ラテックス形接着剤、エポキシ変性合成ゴム系ラテックス形接着剤、水性高分子−イソシアネート系接着剤、α−オレフィン樹脂系接着剤、エポキシ樹脂系接着剤、ウレタン樹脂系接着剤、変成シリコーン樹脂系接着剤、シリル化ウレタン樹脂系接着剤、またはホットメルト形接着剤が該当する。
【００１４】
「カバー部材」は、上記開口部の全内周に嵌合するもののみならず、この開口部の一部内周にのみ接触するものも含む。またこのカバー部材は、開口部に挿入した場合の表面が表面材の外側面と面一になるものに限らず、この外側面から突出したり凹んだりするものも該当する。また上記カバー部材を「上記埋め込み下地材の表面に結合する」における「結合する」とは、例えばネジや釘で固定する場合に限らず、接着剤で貼り付ける場合も該当する。なおカバー部材は、例えば木板に限らず、上記開口部を開口した際に切り取った表面材でもよい。
【発明の効果】
【００１５】
本発明による補強下地構造の形成方法では、壁下地が無い個所においても補強下地構造を形成することができるため、適正な位置に手摺等を支持することができる。壁パネルについては、一方の表面材に開口部を開口し、この開口部はカバー部材を挿入して覆うだけで足りるため、壁パネルに関する工事を容易かつ短時間に行なうことができる。また部材としては、複数の埋め込み下地材だけで足りるため、必要とする部材を極めて低コストで容易に入手することができる。さらに表面材の開口部から複数の埋め込み下地材を挿入して、壁パネルの２枚の表面材の内側面に接着するだけで足りるため、容易かつ短時間に補強下地構造を形成することができる。また複数の埋め込み下地材を挟んで壁パネルの２枚の表面材が一体的に結合されるため、開口部周りにおける壁パネルの剛性や強度が極めて高くなる。したがって小さな開口部であっても、強固な補強下地構造を形成することができる。
【００１６】
なお複数の埋め込み下地材を、開口部に関して対称にすることにより、補強下地構造の強度や剛性を、場所によらずに均一にすることができる。したがって手摺等を長期間安定して支持することができる。
【図面の簡単な説明】
【００１７】
【図１】補強下地構造の形成方法の工程を示す水平断面図である。
【図２】補強下地構造の斜視図である。
【発明を実施するための形態】
【００１８】
以下図１〜２を参照しつつ、本発明による補強下地構造の形成方法の１例を説明する。図１は、壁パネルの一部に補強下地構造を形成して手摺を取り付けるまでの一連の流れを示す。また図２は、上記補強下地構造に手摺を取り付けようとする状態を示す斜視図である。なお図１は、壁パネルの水平断面を示している。
【００１９】
さて図１に示すように、本発明による補強下地構造の形成方法は、第１工程〜第４工程を備えている（（Ａ）〜（Ｄ））。第１工程（Ａ）においては、壁パネルの一方の表面材１に、矩形の開口部２を開口する。なお壁パネルは、一定の間隔をもって設けられた壁下地と、この壁下地の両方から貼り付けた表面材１，１とで構成されている。
【００２０】
次に第２工程（Ｂ）において、２個の埋め込み下地材３，３を、開口部２から壁パネルの２枚の表面材１，１の間にそれぞれ順番に挿入する。なお埋め込み下地材３，３は、それぞれ矩形断面を有する横長のブロックであって、奥行き方向の厚さは、壁パネルの２枚の表面材１，１の内側面１１，１１の間隔より、わずかに狭い厚さに形成してある。また横方向長さは、開口部２の横幅より短くしてある。したがって、埋め込み下地材３，３は、壁パネルと平行で、かつ水平にした状態で、矩形の開口部２に挿入することができる。そして埋め込み下地材３，３は、壁パネルの裏側の表面材１の内側面１１，１１に当接した状態で、そのまま横移動すれば、２枚の表面材１，１の内側面１１，１１の間に、殆んど隙間無く挿入することができる。
【００２１】
埋め込み下地材３，３の表裏両方の表面には、接着剤４がそれぞれ塗布されており、表面材１，１の内側面１１，１１に接着する。このとき埋め込み下地材３，３の横方向長さの半分は、それぞれ開口部２の左右の内周面２１，２１より内側に位置し、残りの半分は、この開口部の内周面２１，２１より外側に位置させる。なお接着剤４は、表面材１，１の内側面１１，１１に塗布しておいてもよい。
【００２２】
ついで第３工程（Ｃ）において、カバー部材５を、開口部２の内周に嵌合させる。なおカバー部材５は、表面材１とほぼ同じ厚さのベニヤ材であって、開口部２と略同等の外形を有する。さらに第４工程（Ｄ）において、このカバー部を、埋め込み下地材３，３の表面に結合する。このとき、カバー部材５の表面と表面材１の外側面とは、面一の状態となる。またカバー部材５は、上記第２工程（Ｂ）で塗布した接着剤４によって埋め込み部材３，３の表面に貼り付いていると共に、ネジを差し込んでこの埋め込み部材に固定されている。なおカバー部材５の外周面も、接着剤によって開口部２の内周面に接着する。
【００２３】
したがってこのような補強下地構造の形成方法においては、第１工程及び第２工程により、表面材１やこの表面材のクロスを取り外さなくても容易に壁パネルの裏側に補強用の埋め込み下地材３，３を配設することができる。また埋め込み下地材３，３は、表面材１，１の内側面１１，１１の両方に密着し、かつ接着されているため、開口部２の周辺部分における壁パネルの強度及び剛性が、大幅に高くなる。したがって、例えばこの埋め込み下地材に手摺等を支持させても、壁パネルから離脱や脱落せずに、長期的に安定して使用することができる。
【００２４】
さらに第３工程及び第４工程により、カバー部材５を開口部２に挿入することで、表面材１の外側面と埋め込み下地材３，３とで構成した窪みを簡単に埋めることができると共に、この開口部に嵌合したカバー部材を、埋め込み下地材の表面と、この開口部の内周面とに接合することで、この埋め込み下地材による補強強度をより高めることができる。
【００２５】
ここで図１の（Ｅ）及び図２に示すように、円形の目隠しプレートがカバー部材５の表面を覆い隠すようにネジや接着剤で固定してあると共に、この目隠しプレートの表面にはＬ字型治具がビスで固定してあり、手摺は、このＬ字型治具にビスや接着剤で固定している。このとき埋め込み下地材３，３の裏面は、奥側の表面材１の内側面１１に、全面接着している。一方、埋め込み下地３，３の表面の半分は、手前の表面材１の内側面１１に接着すると共に、残りの部分はカバー部材５とネジで結合している。またカバー部材５の外周面は、開口部２の内周面と接着してある。さらに埋め込み下地材３，３は、開口部２の中心を通り、かつこの開口部の開口面に直交する平面に関して対称になっている。
【００２６】
このような補強下地構造に設置した手摺に対し、発明者らは強度検証の実験を行った。その結果、手摺の中央付近または根元付近から壁パネルに垂直に引っ張り荷重（荷重：６０ｋｇ）を加えたり平行に引張り荷重（荷重：６０ｋｇ）を加えたりしても、埋め込み下地３，３やカバー部材５に損傷等は生じなかった。
【００２７】
したがって本実施形態における補強下地構造の形成方法は、リフォームや間取り変更が発生した場合に、手摺等を取り付けるための補強下地構造を、壁パネルの任意の位置に簡単に形成することができる。ここで補強下地構造に取り付けるものとしては、手摺に限らず、例えば椅子、机、把手、棚、吊り戸、カーテンレール、配電盤、空調機器、壁掛テレビ、照明、または壁掛用フックも該当する。
【産業上の利用可能性】
【００２８】
本発明における補強下地構造の形成方法は、個別住宅、集合住宅、企業の建築物、及び医療施設や介護施設等に関する産業に広く利用可能である。
【符号の説明】
【００２９】
１      表面材
１１    内側面
２      開口部
２１    内周面
３      埋め込み下地材
４      接着剤
５      カバー部材
【図１】
0005706741.tif 000002
【図２】
0005706741.tif 000003